(57)【要約】【課題】既存の製品を利用して収納物に芳香を付着させる着香性収納庫を構成する。また収納空間の有効利用を図れ、着香効率を向上させ、芳香剤の補充又は交換を簡単にする。【解決手段】収納庫１内に棚板５を取り付ける棚板取付具９を装着するための凹部３ａに、芳香剤を揮発可能に保持する芳香剤担持体を備えた着香部具１０を装着する。着香部具１０は円盤状の芳香剤担持体を保持する保持部１３と、凹部３ａに嵌合される基部１４とから成る。棚板取付具９の装着用凹部３ａを利用するので既存の収納庫を後から何ら手を加えることなくそのまま使用できる。着香部具１０は着脱可能なので、交換や芳香剤の補充が簡単である。扉６を閉じることににより収納空間Ｓが閉塞空間となり、芳香蒸気の濃度を高めることかできるので、効率よく全てのタオルＴ等収納物に芳香を付着させることができる。【選択図】    図１
2006247379.tif 000002
【特許請求の範囲】
【請求項１】
収納庫の内側面に装着される着香器具であって、収納庫内側面に形成された棚板取付用穴に嵌合可能な基部と、収納庫内の収納空間に臨む芳香発散部とを備え、当該芳香発散部は芳香剤を空気中へ揮発可能に保持する芳香剤担持体から成ることを特徴とする収納庫用着香器具。
【請求項２】
収納庫の内側面に装着される着香器具であって、収納庫内側面に形成された棚板取付用穴に嵌合可能な嵌合部材と、芳香剤を空気中へ揮発可能に保持する芳香剤担持体で形成された芳香発散部材とから成り、当該芳香発散部材に貫通孔が設けられ、前記嵌合部材を前記芳香発散部材の貫通孔に挿通させて前記棚板取付用穴へ嵌合させることにより、前記芳香発散部材が収納庫内側面に取り付けられることを特徴とする収納庫用着香器具。
【請求項３】
前記芳香剤担持体に、当該芳香剤担持体と収納庫との接触を防止する絶縁部を形成した請求項１又は２に記載の収納庫用着香器具。
【請求項４】
前記基部は前記収納庫内側面の棚板取付用穴に嵌合したときに一部が突出する長さ寸法を有しており、前記芳香発散部と前記収納庫内側面との間に間隙が形成されるように設定されている請求項１に記載の収納庫用着香器具。
【請求項５】
収納庫の内側面に装着される着香器具であって、収納庫内側面に形成された棚板取付用穴に嵌合可能な嵌合部を有する保持具と、芳香剤を空気中へ揮発可能に保持する芳香剤担持体で形成された芳香発散具とからなり、前記棚板取付用穴へ嵌合部を嵌合させた前記保持具に前記芳香発散具を着脱自在に保持させることにより、芳香発散具が収納庫内側面に取り付けられることを特徴とする収納庫用着香器具。
【請求項６】
収納庫の内側面に装着される着香器具であって、収納庫内側面に貫通形成された棚板取付用穴に掛止可能な掛止部を有する保持具と、芳香剤を空気中へ揮発可能に保持する芳香剤担持体で形成された芳香発散具とからなり、前記棚板取付用穴へ掛止部を掛止させた前記保持具に前記芳香発散具を着脱自在に保持させることにより、芳香発散具が収納庫内側面に取り付けられることを特徴とする収納庫用着香器具。
【請求項７】
収納物に芳香を付着させることが可能な収納庫であって、収納空間を開閉する扉と、請求項１乃至６のいずれかに記載する着香器具とを備え、当該着香器具が、収納庫内側面に形成され棚板取付用穴を利用して取り付けてあることを特徴とする着香性収納庫。
【発明の詳細な説明】
【技術分野】
【０００１】
本発明は、収納物に所望の芳香を付着（着香）させることが可能な収納庫、及び、この収納庫の構築に利用される着香器具に関する。
【背景技術】
【０００２】
タオルやハンカチ等に希望の芳香を付着させたいという使用者の要望がある。但し、芳香剤（例えばアロマオイルなど）をタオル等へ直接塗布又は噴霧するのは手間がかかるので、芳香剤容器をタンスやキャビネット等の収納庫内に配置することが従来採用されている。また特許文献１に、防虫剤・脱湿剤・芳香剤・脱臭剤を収容し上側を多孔銅板で覆った容器を棚板の開孔に装着した本棚が記載されている。この本棚は、棚板上に載置した書籍の防虫・脱湿を行い、また本棚からの臭いの発生を防止するとされている。
【特許文献１】特開２００３−１１６６４５公報
【発明の開示】
【発明が解決しようとする課題】
【０００３】
芳香剤容器を収納庫内に配置するのは、収納空間を狭めるので好ましくない。他方、特許文献１に記載される本棚のように、芳香剤を収容する容器を棚板に装着した場合は、一般に芳香剤から揮発する芳香蒸気が空気より比重が重いため、棚板付近のタオルにしか芳香を付着させられないという欠点が有る。さらに特許文献１の本棚は、正面側が開放しているので、収納空間を芳香で充満させることが困難であり、それ故、収納物品全体に芳香を行き渡らせることができない。また、芳香剤の補充又は交換を行うには、棚板上の書籍等を取り除かなくてはならないという問題を有している
【課題を解決するための手段】
【０００４】
本発明は、従来の収納庫に対し、後加工を施すことなく、確実な着高性能を付与することができ、しかも芳香剤の交換・補充を簡単に行える技術を提供することを目的とする。かかる目的実現のために採用した本発明の特徴とするところは、請求項１に記載するとおり、収納庫の内側面に装着される着香器具であって、収納庫内側面に形成された棚板取付用穴に嵌合可能な基部と、収納庫内の収納空間に臨む芳香発散部とを備え、当該芳香発散部は芳香剤を空気中へ揮発可能に保持する芳香剤担持体から成ることである。
【０００５】
本発明に係る着香器具は、請求項２に記載するように、収納庫内側面に形成された棚板取付用穴に嵌合可能な嵌合部材と、芳香剤を空気中へ揮発可能に保持する芳香剤担持体で形成された芳香発散部材とから成るものとし、当該芳香発散部材に貫通孔が設け、前記嵌合部材を前記芳香発散部材の貫通孔に挿通させて前記棚板取付用穴へ嵌合させることにより、前記芳香発散部材が収納庫内側面に取り付ける構成も考えられる。
【０００６】
前記着香器具にあっては、前記芳香発散部を収納庫の内側面と接触させないように構成することが望ましい。そのための一手段として、請求項３に記載するように、前記芳香剤担持体に、当該芳香剤担持体と収納庫との接触を防止する絶縁部を形成することが考えられる。
【０００７】
あるいは請求項４に記載するように、前記基部が前記収納庫内側面の棚板取付用穴に嵌合したときに一部が突出する長さ寸法を有するものとし、前記芳香発散部と前記収納庫内側面との間に間隙が形成されるように設定することも可能である。
【０００８】
また、前記目的実現のために採用した本発明の特徴とするところは、請求項５に記載するとおり、収納庫の内側面に装着される着香器具であって、収納庫内側面に形成された棚板取付用穴に嵌合可能な嵌合部を有する保持具と、芳香剤を空気中へ揮発可能に保持する芳香剤担持体で形成された芳香発散具とからなり、前記棚板取付用穴へ嵌合部を嵌合させた前記保持具に前記芳香発散具を着脱自在に保持させることにより、芳香発散具が収納庫内側面に取り付けられることである。
【０００９】
更に、前記目的実現のために採用した本発明の特徴とするところは、請求項６に記載するとおり、収納庫の内側面に装着される着香器具であって、収納庫内側面に貫通形成された棚板取付用穴に掛止可能な掛止部を有する保持具と、芳香剤を空気中へ揮発可能に保持する芳香剤担持体で形成された芳香発散具とからなり、前記棚板取付用穴へ掛止部を掛止させた前記保持具に前記芳香発散具を着脱自在に保持させることにより、芳香発散具が収納庫内側面に取り付けられることである。
【００１０】
なお本発明は、収納物に芳香を付着させることが可能な収納庫を提供するものであり、その特徴とするところは、請求項７に記載する如く、収納空間を開閉する扉と、上に掲げたいずれかの着香器具とを備え、当該着香器具が、収納庫内側面に形成された棚板取付用穴を利用して取り付けてられていることにある。
【発明の効果】
【００１１】
本発明の請求項１，２，５及び６に係る着香器具は、棚板取付具を装着するために収納庫内側面に形成された棚板取付用穴を利用して取り付けられるので、既存の収納庫を後から何ら手を加えることなくそのまま使用できる。従って、低コストで着香性収納庫の提供が可能である。しかも、利用対象となる収納庫の種類は特に限定されないから汎用性に優れている。着香器具は着脱可能にできるから、使用する芳香剤の種類を交換したり芳香剤を補充したりする作業を簡単に行える。芳香剤自体を配置するのではなく、芳香剤を担持体に保持させるようにしたから、本発明用に芳香剤を別途用意する必要がなく、市販の芳香剤製品を利用可能である。また棚板の取付位置を変更した場合、それに応じて着香器具の取付位置を変更できるから、棚板の位置に拘わらず収納空間の上部に着香器具を位置させることが可能である。その結果、芳香蒸気が収納空間の必ず上部から供給されるため、収納物品に対する着香が確実になる。着香器具は、大がかりな装置や器具ではなく、きわめて簡素な構成にできるから、収納空間を狭めたり、見栄えを損なったりするおそれがない。
【００１２】
なお、請求項２に記載するように、芳香剤担持体から成る芳香発散部材を、棚板取付具として一般に広く採用されている嵌合部材で、収納庫内側面に取り付けるようにした場合は、汎用性が一層高まる。
【００１３】
本発明に係る着香器具は、請求項３又は４に記載する如く、芳香剤担持体が収納庫の内側面と接触しないよう構成することにより、芳香剤担持体に保持されている芳香剤が収納庫へ転移するのを阻止して、着香機能を長時間持続させることができる。芳香剤担持体が収納庫と接していると、接触箇所から芳香剤が収納庫の構成部材に吸収され、その結果、芳香蒸気の収納空間内への放出量が急速に低下して、着香性能が早期に低下ないし消失するおそれがある。請求項３又は４の本発明は、かかる問題点を解消できる。
【００１４】
本発明に係る着香器具は、請求項５又は６に記載する如く、棚板取付用穴を利用して取り付けられた保持具から芳香発散具を分離することで、単体として扱われる芳香剤担持体からなる芳香発散具の交換や、芳香剤の補充を更に簡単に行うことができる。
【００１５】
請求項７に記載する如く、前述した着香器具を用いて構築される本発明に係る着香性収納庫は、着香器具を収納庫内側面に配置して、収納物品に所望の芳香を付着（着香）させることができる。また着香器具を収納空間の上部に配置した場合、芳香蒸気を収納物品の上方から供給することが確実にできる。従って、一般に空気より比重が重い芳香蒸気を、収納物品全体に接触させることが容易である。また、収納空間を開閉する扉を設けて、通常は収納空間を閉塞状態とするから、芳香蒸気の濃度を高めることが可能である。依って収納物に対し着香させる効率がきわめて良い。
【００１６】
また本発明に係る収納庫は、内部に配設する着香器具の個数を増減させることにより、収納空間内の芳香蒸気の濃度調整が容易である。さらに、異なる種類の芳香剤を保持させた着香器具を同時に使用して、芳香の種類を使用者の嗜好に合わせて調整することも可能である。
【発明を実施するための最良の形態】
【００１７】
［第１の実施形態］
図１及び図２に、本発明に係る収納庫１の一例を示す。なお図１にあっては、収納空間Ｓ内の状況を分かりやすくするため、扉６（図２参照）を取り外して示してある。この収納庫１は、例えばタオルＴの収納キャビネットであって、天板２・左右の側板３，３・底板４・扉６・背板８で構成され、蝶番７で側板３へ揺動可能に取り付けられた扉６を閉止することにより、収納空間Ｓを閉塞状態とすることができる。
【００１８】
収納庫１内には、収納空間全体を上下に区画する棚板５が適所に取り付けられる。棚板５を取り付けるための棚板取付具９を、側板３の内側面に多数形成した有底の棚板取付用穴３ａのうちの適宜の箇所に嵌合させることにより、棚板５を所望の位置に取り付けることが可能である。なお棚板取付用穴３ａは、側板３を貫通することもある。また棚板５は、複数枚が使用されることもある。
【００１９】
本発明は、棚板取付具９を嵌合していない前記棚板取付用穴３ａのうちの所望する位置に、芳香剤を揮発可能に保持する芳香剤担持体を備えた着香器具１０を装着して、収納庫１内の収納空間Ｓへ芳香蒸気を発散させるようにしたところを特色とする。着香器具１０の装着位置は、収納空間Ｓのなるべく上方が望ましく、本例では、天板２及び棚板５の下面側それぞれの最も近傍に位置する棚板取付用穴３ａに着香器具１０を装着してある。なお着香器具１０は、対向する側板３，３の両方に装着するだけでなく、いずれか一方の側板３だけであってもよい。さらに、他の棚板取付用穴３ａにも着香器具１０を装着して、使用個数を増加させ、芳香剤濃度を高めることも妨げない。
【００２０】
前記着香器具１０の構造は、例えば図３（Ａ）（Ｂ）に示すようなものが考えられる。この着香器具１０は、薄い円盤状に形成した芳香剤担持体１２を保持する有底円筒状の保持部１３と、この保持部１３における底面部中央に一体に設けられ前記棚板取付用穴３ａに嵌合される棒状又は円柱状の基部１４とから成っている。芳香剤担持体１２は保持部１３に対し容易には脱落しないよう接着剤等で固定される。そして芳香剤担持体１２における収納空間Ｓに臨む面により、芳香発散部１１が形成される。
【００２１】
保持部１３は、芳香剤担持体１２が収納庫１の側板３と接するのを阻止する機能を有している。芳香剤担持体１２が側板３に接すると、芳香剤が側板３に吸収され、着香機能が早期に低下又は消失するおそれが有るからである。保持部１３及び基部１４の材質は特に限定されないが、少なくとも芳香剤担持体１２と接する部分は芳香剤を吸収せず、化学的変化を生じ難いものであることが必要である。このような素材としては、ステンレス鋼等の金属や木質のほか、芳香剤に対し化学的活性を発揮しない種類のセラミックやプラスチックが考えられる。
【００２２】
芳香剤担持体１２は、液体状の芳香剤を一旦吸着し、これを徐々に空気中へ揮発させることが可能な素材で製作される。例えば、特開平３−９４００４号公報に記載される方法により製造される多孔質金属材料は、多数の微細孔内に液体芳香剤を長時間保持する機能を有しており、本発明で使用する芳香剤担持体１２用の材料として好適である。なお、上記公報では製造原料を銀・金・白金等の貴金属微粉末としているが、ステンレス鋼の微粉末を用いることも可能であり、コスト面ではこの方が好ましい。その他、芳香剤を揮発可能に保持する素材としては、物理的・化学的に比較的安定で多孔質のものであればよく、例えば、天然繊維の成形体又は積層体、木質チップの成形体、多孔質セラミックなどが挙げられる。なおセラミックは、種類により、芳香剤に対し活性化を示す場合が有るので、この点を考慮して素材を選定する必要がある。さらに、使用する芳香剤に対し化学的に安定であれば、合成繊維や多孔性合成樹脂も使用可能である。なお着香器具１０における芳香剤担持体１２の形状や大きさについては、特に制限は無いので適宜選定すればよく、図示したような円盤状のほか、角板状・球状・半球状等が考えられる。
【００２３】
芳香剤担持体１２に保持させる芳香剤としては、液体状の芳香剤を使用するのが好ましい。芳香剤担持体１２が前述の多孔質金属材料から成る場合、その表面に液体の芳香剤を滴下することにより、あるいは芳香剤を貯留した容器内に浸漬することにより、芳香剤を芳香剤担持体１２内に含浸させることが可能である。なお本発明では、芳香剤自体を収納庫１内に配置するのではないから、特定形状に製作した固形の芳香剤を別途用意する必要がなく、一般に広く市販され、多様な種類が用意されているアロマオイル・エッセンシャルオイルを使用できるという利点を有する。またオイル系の脂溶性芳香剤に限らず、水溶性アロマやハーブ水等の水溶性芳香剤を用いることも妨げない。
【００２４】
ところで、アロマオイルなどの天然系成分を主成分とする芳香剤は、異なる種類が混合しても不快な香りになることが少ないので、元の芳香が残留していても別種の芳香剤に変更することが可能である。この場合、着香器具１０を別のものに交換するだけでなく、同一の着香器具１０に異なる芳香剤を補充することも可能である。なお、継続して同一種類を使用する場合や、交換に際し残留香気が消滅するまで充分な時間を空けることが可能な場合は、合成成分系の芳香剤を使用することも妨げない。さらに、異なる種類の芳香剤を芳香剤担持体１２に保持させた複数の着香器具１０を同時に装着して、使用者の嗜好に合わせた混合香気を生成することも考えられ、このように積極的に混合した香気を楽しむ人も少なくない。あるいは、着香器具１０の装着個数を変えることで、芳香の強さ（芳香濃度）を調節することも可能である。
【００２５】
前述の如く構成された収納庫１は、以下に述べるような特徴的機能を有する。収納空間Ｓのなるべく上方部に配置した着香器具１０の芳香剤担持体１２から、芳香蒸気が揮発して収納空間Ｓに発散される。空気より比重が重いアロマオイル等の揮発蒸気は、最下部まで拡散しつつ流下して、収納空間Ｓ内を芳香で充満する。また扉６を閉じることにより収納空間Ｓが閉塞空間となるから、芳香蒸気の濃度を高めることができる。従って、収納空間Ｓに収納したタオルＴ等の収納物全体へ芳香蒸気を確実に行き渡らせられるので、きわめて効率よく全てのタオルＴ等収納物に芳香を付着させることができる。
【００２６】
着香器具１０の取り付けは、収納庫１の側板内側面に棚板を取り付けるための棚板取付具９を装着するため形成されている棚板取付用穴３ａを利用するので、収納庫１には何ら加工を加える必要がなく、既存の製品を使用できる。着香器具１０は、収納空間Ｓの上部に位置させることができ、簡素な構造にできるから、収納空間Ｓの利用範囲を狭めることがなく、見栄えを損なうおそれもない。着香器具１０の着脱は簡単であるから、交換作業や芳香剤の補充作業が容易である。勿論、その際に、収納物を移動させることは不要である。
【００２７】
［第２の実施形態］
着香器具１０の構造は様々な形態が考えられる。図４は、円盤状に形成した芳香剤担持体１２に貫通孔１２ａを設け、この貫通孔１２ａを挿通させた嵌合部材１５を棚板取付用穴３ａに嵌合させることにより、上記芳香剤担持体１２を側板３に取り付けるものである。芳香剤担持体１２の形態は、嵌合部材１５を挿通させる貫通孔１２ａの部分の厚みが比較的薄ければよく、板状のほか、有底円筒状、Ｌ字状なども可能である。なお、芳香剤担持体１２と側板３との間には、芳香剤を吸収せず、芳香剤との間で化学的反応を示さない金属等より成る絶縁部材１６を配置し、芳香剤担持体１２が側板３に接するのを阻止する。この絶縁部材１６は、芳香剤担持体１２に一体化させてもよい。本実施形態の着香器具１０は、嵌合部材１５として棚板５を取り付けるための棚板取付具９（図１参照）を利用することが可能であり、既存の収納庫１に適用でき、汎用性が高い。
【００２８】
［第３の実施形態］
図５に示すように、着香器具１０は、芳香剤担持体１２と係合するようにして貫通孔１２ａを挿通させた嵌合部材１５を棚板取付用穴３ａに嵌合させることにより、上記芳香剤担持体１２を側板３に取り付けることもある。芳香剤担持体１２は、貫通孔１２ａに段部１２ｂを形成して、嵌合部材１５の段部１５ａを係合させるようにしてあるが、これに限定するものではなく、図示は省略したが、嵌合部材１５の段部１５ａを貫通孔１２ａの開口周縁に係合させるように、貫通孔１２ａへ嵌合部材１５の小径部を挿通させて大径部を挿通させないようにすることもある。絶縁部材１６は、芳香剤担持体１２に一体化させてもよい。
【００２９】
［第４の実施形態］
図６に示すように、着香器具１０の全体を芳香剤担持体１２で製作することも考えられる。すなわち、芳香剤担持体１２を用いて大径の芳香発散部１１と小径の基部１４とを有する部材を製作する。この場合、収納庫１の側板３の棚板取付用穴３ａへ嵌合させる基部１４の表面と、芳香発散部１１における側板３と接し得る領域（本例では段部）の表面とには、金属蒸着等により絶縁部１７を設け、芳香剤担持体１２が側板３に接するのを阻止する。
【００３０】
［第５の実施形態］
図７は、着香器具１０の全体を芳香剤担持体１２で製作する場合において、芳香剤担持体１２が側板３に接するのを阻止する手段の他の例を示すものである。この例では、基部１４に相当する部位に絶縁リング１８を嵌着して、基部１４が棚板取付用穴３ａの内表面に接するのを阻止している。
【００３１】
［第６の実施形態］
芳香剤担持体１２が側板３に接するのを阻止するさらに他の手段として、図８に示す構成も考えられる。本例では、着香器具１０を、芳香剤を吸収したり芳香剤と化学反応を起こしたりしない材質の基部１４と、芳香剤担持体１２から成る芳香発散部１１とを一体に構成したものとし、前記基部１４を、側板３の棚板取付用穴３ａに嵌合させたとき、その一部が突出するように設定した。これにより、芳香剤担持体１２と側板３の表面との間にわずかな間隙ｄを形成して、両者の接触を阻止している。
【００３２】
［第７の実施形態］
図９に示すように、着香器具２０は、嵌合部２１ａを有する保持具２１と、芳香剤を空気中へ揮発可能に保持する芳香剤担持体１２で形成された芳香発散具２２とからなり、棚板取付用穴３ａに嵌合部２１ａを嵌脱自在に嵌合させた保持具２１に芳香発散具２２，２２を着脱自在に保持させることにより、芳香発散具２２を側板３に取り付けることもある。
【００３３】
前記保持具２１は、芳香剤に対し化学的活性を発揮しないステンレス鋼板等の素材から成形され、縦長の基部２１ｂの左右側縁及び下側縁から保持片２１ｃを延設し、表側に基部２１ｂ及び複数個の保持片２１ｃで芳香発散具用収納空間Ｂを形成し、収納空間Ｂの出入り口Ｂａから空間内へ芳香発散具２２を出し入れ自在に挿着できるようにして、芳香発散具２２を着脱自在に保持するようにしてある。芳香発散具用収納空間Ｂは、一個又は複数個の芳香発散具２２を挿着できる大きさとなっている。保持具２１は、基部２１ｂの上部裏側に嵌合部２１ａを突設させ、棚板取付用穴３ａに嵌合部２１ａを嵌着したとき、側板３と収納空間Ｂとを基部２１ｂで絶縁分離して、芳香発散具用収納空間Ｂへ挿着した芳香発散具２２を側板３へ接触させないようにしてある。
【００３４】
前記芳香発散具２２は、薄い円盤状等に形成した前記芳香剤担持体１２で形成されており、棚板取付用穴３ａを利用して取り付けられた保持具２１から分離することで、単体として扱うことができるので、交換や、芳香剤の補充を簡単に行うことができる。
【００３５】
［第８の実施形態］
図１０に示すように、着香器具３０は、掛止部３１ａを有する保持具３１と、芳香剤を空気中へ揮発可能に保持する芳香剤担持体１２で形成された芳香発散具２２とからなり、棚板取付用穴３ａに掛止部３１ａを掛脱自在に掛止させた保持具３１に芳香発散具２２，２２を着脱自在に保持させることにより、芳香発散具２２を側板３に取り付けることもある。
【００３６】
前記保持具３１は、芳香剤に対し化学的活性を発揮しないステンレス鋼板等の素材から成形され、縦長の基部２１ｂの左右側縁及び下側縁から保持片３１ｃを延設し、表側に基部３１ｂ及び複数個の保持片３１ｃで芳香発散具用収納空間Ｂを形成し、収納空間Ｂの出入り口Ｂａから空間内へ芳香発散具２２を出し入れ自在に挿着できるようにして、芳香発散具２２を着脱自在に保持するようにしてある。芳香発散具用収納空間Ｂは、一個又は複数個の芳香発散具２２を挿着できる大きさとなっている。保持具３１は、基部３１ｂの上部裏側に掛止部３１ａを突設させ、貫通した棚板取付用穴３ａに掛止部３１ａを掛止したとき、側板３と収納空間Ｂとを基部３１ｂで絶縁分離して、芳香発散具用収納空間Ｂへ挿着した芳香発散具２２を側板３へ接触させないようにしてある。
【００３７】
前記芳香発散具２２は、薄い円盤状等に形成した前記芳香剤担持体１２で形成されており、貫通した棚板取付用穴３ａを利用して取り付けられた保持具３１から分離することで、単体として扱うことができるので、交換や、芳香剤の補充を簡単に行うことができる。  
【００３８】
前記保持具３１を取り付ける収納キャビネット４１は、本例の場合には図１１に示す如く、便器４２の奥側脇に設置され、清掃具や雑巾等（図示略）を収納するものであって、左右の側板３，３に貫通した棚板取付用穴３ａが設けられている。収納キャビネット４１は、揺動可能に取り付けられた扉６を閉止することにより、収納空間Ｓを閉塞状態とすることができるようになっている。
【００３９】
［その他の実施形態］
前記収納キャビネット４１（図１１参照）は、前記着香器具３０を取り付ける以外に、側板３の棚板取付用穴３ａを利用して前記着香器具１０（図３〜図８参照）又は前記着香器具２０（図９参照）を取り付けて使用することも可能である。
【図面の簡単な説明】
【００４０】
【図１】本発明の第１の実施形態に関するものであって、扉を取り外すと共に側板及び棚板の一部を切り欠いて示す収納庫の正面図である。
【図２】本発明の第１の実施形態に関するものであって、図１に示す収納庫の平面断面図である。
【図３】本発明の第１の実施形態に関するものであって、図（Ａ）は側板に着香器具を取り付ける状況を示す正面断面図、図（Ｂ）は側板に着香器具を装着した状況を示正面断面図である。
【図４】本発明の第２の実施形態に関するものであって、図（Ａ）は側板に着香器具を取り付ける状況を示す正面断面図、図（Ｂ）は側板に着香器具を装着した状況を示す正面断面図である。
【図５】本発明の第３の実施形態に関するものであって、図（Ａ）は側板に着香器具を取り付ける状況を示す正面断面図、図（Ｂ）は側板に着香器具を装着した状況を示す正面断面図である。
【図６】本発明の第４の実施形態に関するものであって、図（Ａ）は側板に着香器具を取り付ける状況を示す正面断面図、図（Ｂ）は側板に着香器具を装着した状況を示す正面断面図、図（Ｃ）は着香器具の正面断面図である。
【図７】本発明の第５の実施形態に関するものであって、図（Ａ）は側板に着香器具を取り付ける状況を示す正面断面図、図（Ｂ）は側板に着香器具を装着した状況を示す正面断面図である。
【図８】本発明の第６の実施形態に関するものであって、図（Ａ）は側板に着香器具を取り付ける状況を示す平面断面図、図（Ｂ）は側板に着香器具を装着した状況を示す平面断面図である。
【図９】本発明の第７の実施形態に関するものであって、図（Ａ）は側板と保持具と芳香発散具とを分離した状況を示す斜視図、図（Ｂ）は保持具に芳香発散具を保持させた着香器具を側板に取り付けた状況を示す斜視図である。
【図１０】本発明の第８の実施形態に関するものであって、側板と保持具と芳香発散具とを分離した状況を示す斜視図である。
【図１１】本発明の第８の実施形態に関するものであって、保持具に芳香発散具を保持させた着香器具を収納キャビネットの側板に取り付けた状況を示す斜視図であり、吹き出し部Ｄに拡大図を示してある。
【符号の説明】
【００４１】
Ｓ…収納空間  Ｔ…タオル  １…収納庫  ２…天板  ３…側板  ３ａ…棚板取付用穴  ４…底板  ５…棚板  ６…扉  ７…蝶番  ８…背板  ９…棚板取付具  １０，２０，３０…着香器具  １１…芳香発散部  １２…芳香剤担持体  １２ａ…貫通孔  １３…保持部  １４…基部  １５…嵌合部材  １６…絶縁部材  １７…絶縁部  １８…絶縁部材  ２１，３２…保持具  ２２…芳香発散具
【図１】
2006247379.tif 000003
【図２】
2006247379.tif 000004
【図３】
2006247379.tif 000005
【図４】
2006247379.tif 000006
【図５】
2006247379.tif 000007
【図６】
2006247379.tif 000008
【図７】
2006247379.tif 000009
【図８】
2006247379.tif 000010
【図９】
2006247379.tif 000011
【図１０】
2006247379.tif 000012
【図１１】
2006247379.tif 000013